(57)【要約】      （修正有）【課題】モーターの最適回転をローター部の最適回転に合わせることができるリファイナーを提供する。【解決手段】リファイナーＲは、第１の回転軸３と、第１の回転軸３を回転自在に支持する第１の支持部１と、第２の回転軸４と、第２の回転軸４を回転摺動自在に支持する第２の支持部２と、第１の回転軸３と第２の回転軸４を連結する摺動カップリング５と、第２の回転軸４に取り付けられたローター部７と、ローター部７に対向するように設けられたステータ部６と、モーター３０と、第１の回転軸３に着脱自在に取り付けられた第１のプーリー５１と、モーター３０の回転軸３０ａに着脱自在に取り付けられた第２のプーリー５２と、第２のプーリー５２と第１のプーリー５１との間に掛け渡されたベルト５３とを備えている。【選択図】図１
0003154339.tif 000002
【実用新案登録請求の範囲】
【請求項１】
パルプ、古紙等の叩解を行うリファイナーであって、
第１の回転軸と、
この第１の回転軸を回転自在に支持する第１の支持部と、
第２の回転軸と、
この第２の回転軸を回転摺動自在に支持する第２の支持部と、
前記第１の回転軸と前記第２の回転軸を連結する摺動カップリングと、
前記第２の回転軸に取り付けられたローター部と、
このローター部に対向するように設けられたステータ部と、
このステータ部と前記ローター部で前記パルプ、古紙等の叩解を行うものであり、
モーターと、
前記第１の回転軸に着脱自在に取り付けられた第１のプーリーと、
前記モーターの回転軸に着脱自在に取り付けられた第２のプーリーと、
この第２のプーリーと前記第１のプーリーとの間に掛け渡されたベルトと
を備えていることを特徴とするリファイナー。
【請求項２】
パルプ、古紙等の叩解を行うリファイナーであって、
第１の回転軸と、
この第１の回転軸を回転自在に支持する第１の支持部と、
第２の回転軸と、
この第２の回転軸を回転摺動自在に支持する第２の支持部と、
前記第１の回転軸と前記第２の回転軸を連結する摺動カップリングと、
前記第２の回転軸に取り付けられたローター部と、
このローター部に対向するように設けられたステータ部と、
このステータ部と前記ローター部で前記パルプ、古紙等の叩解を行うものであり、
モーターと、
前記第１の回転軸に着脱自在に取り付けられた第１のプーリーと、
前記モーターの回転軸に着脱自在に取り付けられた第２のプーリーと、
この第２のプーリーと前記第１のプーリーとの間に掛け渡されたベルトと、
前記第１の支持部と前記第２の支持部を支持するベースと、  
このベースに支持され、前記モーターを支持するモーター支持部と、
このモーター支持部を介して、前記第１の支持部の上方に前記モーターが位置している
ことを特徴とするリファイナー
【考案の詳細な説明】
【技術分野】
【０００１】
本考案は、リファイナーに係り、特に、モーターの最適回転をローター部の最適回転に合わせることができるリファイナーに関する。
【背景技術】
【０００２】
パルプ、古紙等の叩解を行うものとして、リファイナーがある（例えば、特許文献１参照）。
このリファイナーは、極めて消費電力を要する機械であり、
また、叩解する原料であるパルプも一種類ではなく、多数の種類があるため、これを叩解するローターの回転速度も最適なものを選択すべきであり、必要以上の回転速度は、エネルギーロスとなる。
【先行技術文献】
【特許文献】
【０００３】
【特許文献１】実公平７−４８７１４号公報  第５図参照
【考案の概要】
【考案が解決しようとする課題】
【０００４】
しかしながら、従来のリファイナーにあっては、ローターの回転軸とモーターの回転軸とは直結され、しかも、供給電力においては、５０Hzと６０Hzの２種類があり、また、モーターの極数も、２極、４極、６極、８極、１０極と段階的であり、最適回転数を選択することは困難であり、また、変速装置を介在させることは論理的に可能であるが、トルクの変動、設置費用等の条件を考慮すると現実的に使用困難であるという問題点があった。
【０００５】
本考案は、上記の問題点を除去するように、モーターの最適回転をローター部の最適回転に合わせることができるリファイナーを提供することを目的とする。
【課題を解決するための手段】
【０００６】
請求項１記載のリファイナーは、パルプ、古紙等の叩解を行うリファイナーであって、第１の回転軸と、この第１の回転軸を回転自在に支持する第１の支持部と、第２の回転軸と、この第２の回転軸を回転摺動自在に支持する第２の支持部と、前記第１の回転軸と前記第２の回転軸を連結する摺動カップリングと、前記第２の回転軸に取り付けられたローター部と、このローター部に対向するように設けられたステータ部と、このステータ部と前記ローター部で前記パルプ、古紙等の叩解を行うものであり、モーターと、前記第１の回転軸に着脱自在に取り付けられた第１のプーリーと、前記モーターの回転軸に着脱自在に取り付けられた第２のプーリーと、この第２のプーリーと前記第１のプーリーとの間に掛け渡されたベルトとを備えているものである。
【０００７】
また、請求項２記載のリファイナーは、パルプ、古紙等の叩解を行うリファイナーであって、第１の回転軸と、この第１の回転軸を回転自在に支持する第１の支持部と、第２の回転軸と、この第２の回転軸を回転摺動自在に支持する第２の支持部と、前記第１の回転軸と前記第２の回転軸を連結する摺動カップリングと、前記第２の回転軸に取り付けられたローター部と、このローター部に対向するように設けられたステータ部と、このステータ部と前記ローター部で前記パルプ、古紙等の叩解を行うものであり、モーターと、前記第１の回転軸に着脱自在に取り付けられた第１のプーリーと、前記モーターの回転軸に着脱自在に取り付けられた第２のプーリーと、この第２のプーリーと前記第１のプーリーとの間に掛け渡されたベルトと、前記第１の支持部と前記第２の支持部を支持するベースと、このベースに支持され、前記モーターを支持するモーター支持部と、このモーター支持部を介して、前記第１の支持部の上方に前記モーターが位置しているものである。
【考案の効果】
【０００８】
請求項１記載のリファイナーによれば、モーターの回転を第２のプーリー、ベルト、、第１のプーリー、第１の回転軸、摺動カップリング、第２の回転軸を介してローター部へ伝達することができるため、モーターの最適回転を第２のプーリーと第１のプーリーを調整することによりローター部の最適回転に合わせることができ、前記手段は簡易で、しかも、低コストで実現することができる等の効果を有する。
【０００９】
また、請求項２記載のリファイナーによれば、モーターの回転を第２のプーリー、ベルト、、第１のプーリー、第１の回転軸、摺動カップリング、第２の回転軸を介してローター部へ伝達することができるため、モーターの最適回転を第２のプーリーと第１のプーリーを調整することによりローター部の最適回転に合わせることができ、前記手段は簡易で、しかも、低コストで実現することができ、しかも、第１の支持部と第２の支持部を支持するベースと、このベースに支持され、モーターを支持するモーター支持部と、このモーター支持部を介して、前記第１の支持部の上方に前記モーターが位置しているため、ベースに設置されるスペースを小さくすることができる等の効果を有する。
【図面の簡単な説明】
【００１０】
【図１】図１は、本考案の一実施例のリファイナーの概略的構成図である。
【図２】図２は、図１のモーターの回転をローター部の回転に伝達する過程の概略的構成図である。
【考案を実施するための形態】
【００１１】
本考案の一実施例のリファイナーを図面を参照して説明する。
図１に示すＲは、パルプ、古紙等の叩解を行うリファイナーで、１０は、第１の支持部１と第２の支持部２を支持するベースである。
第１の支持部１は、第１の回転軸３を回転自在に支持するもので、第２の支持部２は、第２の回転軸４を回転摺動自在に支持するものである。
５は、第１の回転軸３と第２の回転軸４を連結する摺動カップリングである。
【００１２】
パルプ、古紙等の叩解は、ステータ部６とローター部７で行われる。なお、ステータ部６は、ローター部７に対向するようにケーシング２０の裏面に設けられている。ローター部７は、第２の回転軸４に取り付けられ、ステータ部６とローター部７との間隙は、叩解される製紙原料によって、調整されるようになっている。８は製紙原料の入口で、９は製紙原料の出口である。
【００１３】
３０はモーターで、モーター３０はモーター支持部３１で支持されている。なお、図１において、モーター支持部３１、３１は、一部省略されているが、モーター支持部３１、３１の先端部は、ベース１０に取り付けられている。つまり、モーター支持部３１は、ベース１０に支持されている。
そして、モーター支持部３１を介して、第１の支持部１の上方にモーター３０が位置している。
【００１４】
図２に示す５１は第１の回転軸３に着脱自在に取り付けられた第１のプーリーで、５２はモーター３０の回転軸３０ａに着脱自在に取り付けられた第２のプーリーで、５３は第２のプーリー５２と第１のプーリー５１との間に掛け渡されたベルトである。
【００１５】
従って、上述したリファイナーＲにおいて、製紙原料の種類に応じて最適なローター部７の回転数が設定できれば、第１のプーリー５１と第２のプーリー５２との径に適した第１のプーリー５１、第２のプーリー５２を第１の回転軸３、モーター３０の回転軸３０ａに取り付けて運転すれば、つまり、モーター３０の回転を回転軸３０ａ、第２のプーリー５２、ベルト５３、第１のプーリー５１、第１の回転軸３、摺動カップリング５、第２の回転軸４を介してローター部７へ伝達することができる。
その結果、モーター３０の最適回転を第２のプーリー５２と第１のプーリー５１の径を調整することによりローター部７の最適回転に合わせることができ、上述した手段は、第１のプーリー５１、第２のプーリー５２、ベルト５３と簡易で、しかも、低コストで実現することができ、更に、第１の支持部１と第２の支持部２を支持するベース１０と、このベース１０に支持され、モーター３０を支持するモーター支持部３１と、このモーター支持部３１を介して、第１の支持部３１の上方にモーター３０が位置しているため、ベース１０に設置されるスペースを小さくすることができる。つまり、リファイナーＲの平面的設置スペースを小さくすることができる。
【符号の説明】
【００１６】
Ｒ      リファイナー
１      第１の支持部
２      第２の支持部
３      第１の回転軸
４      第２の回転軸
５      摺動カップリング
６      ステータ部
７      ローター部
３０    モーター
５１    第１のプーリー
５２    第２のプーリー
５３    ベルト
【図１】
0003154339.tif 000003
【図２】
0003154339.tif 000004